(57)【要約】【課題】複数の表示灯のうちの一部を遮蔽し、遮蔽された以外の表示灯を露出させることができる通信機器および空気調和機を得る。【解決手段】通信機器１は、機器１００の一部を構成し、他の機器４００と通信を行う通信機器１であって、開口部７１を有するケース８と、開口部７１に対応する位置でケース８内に収容された複数の表示灯１２と、複数の表示灯１２が並ぶ方向に沿ってスライド自在に設置され、開口部７１の開度を調整する表示灯カバー６と、を備えている。【選択図】図１１
2016032118.tif 000002
【特許請求の範囲】
【請求項１】
機器の一部を構成し、他の機器と通信を行う通信機器であって、
開口部を有するケースと、
前記開口部に対応する位置で前記ケース内に収容された複数の表示灯と、
前記複数の表示灯が並ぶ方向に沿ってスライド自在に設置され、前記開口部の開度を調整する表示灯カバーと、を備えた通信機器。
【請求項２】
前記複数の表示灯は、当該通信機器の通信状態を表示するものを含む、
請求項１記載の通信機器。
【請求項３】
前記表示灯カバーは、前記開度が全開状態と全閉状態との間の部分閉状態のときに、前記複数の表示灯のうちの少なくとも１つの表示灯を遮蔽し、前記表示灯カバーに遮蔽された表示灯以外の表示灯を露出させる、
請求項１または請求項２に記載の通信機器。
【請求項４】
前記複数の表示灯は、表示の頻度が低い低頻度表示灯と、前記低頻度表示灯と比較して表示の頻度が高い高頻度表示灯と、を含み、
前記表示灯カバーは、前記部分閉状態のときに、前記高頻度表示灯を遮蔽し、前記低頻度表示灯を露出させる、
請求項３記載の通信機器。
【請求項５】
前記複数の表示灯は、前記表示灯カバーが開く方向に、表示の頻度が低い順に配置されている、
請求項１〜請求項４の何れか１項に記載の通信機器。
【請求項６】
前記表示灯カバーは、前記ケースの外側に突出した突起部を含む、
請求項１〜請求項５の何れか１項に記載の通信機器。
【請求項７】
前記複数の表示灯のそれぞれは、発光部および導光部を含み、
前記発光部は、前記導光部に向けて光を出射し、
前記導光部は、前記発光部とは離間して配置されており、前記発光部が出射した光を前記開口部に導く、
請求項１〜請求項６の何れか１項に記載の通信機器。
【請求項８】
前記ケースは、前記発光部が収容された収容部と、前記収容部と前記開口部とを連通する連通部と、を含み、
前記導光部は、前記連通部に設置され、前記収容部で前記発光部が出射した光を前記開口部に導く、
請求項７記載の通信機器。
【請求項９】
請求項１〜請求項８の何れか１項に記載の通信機器を備えた空気調和機であって、
前記表示灯は、当該空気調和機から吹き出される空気の向きとは異なる方向に光を発する、
空気調和機。
【請求項１０】
前記通信機器は、当該空気調和機の側面の背面側に設置された、
請求項９記載の空気調和機。
【発明の詳細な説明】
【技術分野】
【０００１】
この発明は、通信機器および空気調和機に関するものである。
【背景技術】
【０００２】
近年、オフィスビル、ホテルおよび住宅等に、ＨＥＭＳ（Ｈｏｍｅ  Ｅｎｅｒｇｙ  Ｍａｎａｇｅｍｅｎｔ  Ｓｙｓｔｅｍ）およびスマートグリッド等を導入して、機器の遠隔制御および集中管理制御等を行い、エネルギー管理、利便性の向上および省エネルギー化などを実現することに対する需要が高まっている。
【０００３】
Ｗｉ−Ｆｉ通信は、欧州および北米等を中心に、オフィスビル、ホテルおよび住宅等への普及が進んでいる。Ｗｉ−Ｆｉ通信に対応した携帯端末も急速に普及しており、今後、携帯端末等を利用して機器の制御等を行うことに、需要が高まることが見込まれている。
【０００４】
従来から、機器と機器との接続を行う通信機器が知られている（特許文献１参照）。特許文献１の通信機器は、回動自在なカバーを有しており、カバーを回動させることによって、全ての表示灯を露出させた表示状態と、全ての表示灯を遮蔽した非表示状態と、を切り替えることができる。特許文献１の通信機器では、通信状態等を確認する必要がないときに、全ての表示灯を遮蔽した非表示状態にすることによって、表示灯の点灯および点滅が目障りにならないようにしている。
【先行技術文献】
【特許文献】
【０００５】
【特許文献１】特開２００５−３１６７５１号公報（第３頁、図１）
【発明の概要】
【発明が解決しようとする課題】
【０００６】
しかしながら、特許文献１の通信機器は、機器に搭載されることを前提としたものではないため、例えば機器に単純に適用することによって、特有の課題が生じる場合がある。例えば、特許文献１の通信機器が機器に取り付けられたときに、カバーを回動させることが困難になる場合があり、このときに、全ての表示灯を露出させた表示状態が維持された場合は表示が目障りになり、全ての表示灯を遮蔽した非表示状態が維持された場合は必要とする表示を確認することができない。
【０００７】
この発明は、上記のような課題を背景としてなされたものであり、複数の表示灯のうちの一部を遮蔽可能とし、遮蔽された以外の表示灯を露出させることができる通信機器および空気調和機を提供することを目的としている。
【課題を解決するための手段】
【０００８】
この発明に係る通信機器は、機器の一部を構成し、他の機器と通信を行う通信機器であって、開口部を有するケースと、開口部に対応する位置でケース内に収容された複数の表示灯と、複数の表示灯が並ぶ方向に沿ってスライド自在に設置され、開口部の開度を調整する表示灯カバーと、を備えていることを特徴とする。
【発明の効果】
【０００９】
この発明の通信機器では、表示灯カバーが複数の表示灯が並ぶ方向に沿ってスライド自在に設置されているため、複数の表示灯のうちの一部を遮蔽でき、遮蔽された以外の表示灯を露出させることができる。その結果、この発明の通信機器は、機器に搭載されて機器の一部を構成したときに、機器の種類および設置場所ならびに通信機器の設置位置等に応じて、適切な表示を行うことができる。
【図面の簡単な説明】
【００１０】
【図１】この発明の実施の形態１に係る通信機器が設置された空気調和機の一例を示す斜視図である。
【図２】図１に記載の空気調和機が接続されたネットワークの模式図である。
【図３】図１に記載の通信機器の正面図である（開口部の全開状態）。
【図４】図３に記載の通信機器の斜視図である（開口部の全開状態）。
【図５】図４に記載の通信機器の分解斜視図である。
【図６】図４のＡ−Ａ断面図である。
【図７】図５に記載の表示灯カバーを拡大した拡大斜視図である。
【図８】下ケースに導光部および電子回路基板を設置した状態を示す斜視図である。
【図９】図８に記載の導光部および電子回路基板が設置された下ケースに表示灯カバーを設置した状態を示す斜視図である。
【図１０】図９の表示灯カバーをスライドさせた状態を示す斜視図である。
【図１１】図３の状態から、表示灯カバーをスライドさせて、開口部を部分的に遮蔽した状態を示す斜視図である（開口部の部分閉状態）。
【図１２】図１１の状態から、表示灯カバーをスライドさせて、開口部の全てを遮蔽した状態を示す斜視図である（開口部の全閉状態）。
【図１３】図１２のＡ１−Ａ１断面図である。
【発明を実施するための形態】
【００１１】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１２】
実施の形態１．
図１は、この発明の実施の形態１に係る通信機器が設置された空気調和機の一例を示す斜視図であり、図２は、図１に記載の空気調和機が接続されたネットワークの模式図である。図１および図２に示すように、この実施の形態に係る通信機器１は、空気調和機１００の一部を構成し、端末３００および他の機器４００等と通信を行うものである。なお、図２に示すように、通信機器１は、他の機器４００の一部を構成し、端末３００および空気調和機１００等と通信を行うものであってもよい。他の機器４００は、例えば家庭内に設置された冷蔵庫、洗濯機または照明等の電気機器である。
【００１３】
図２に示すように、空気調和機１００は、通信機器１を介して、ＬＡＮ（Ｌｏｃａｌ  Ａｒｅａ  Ｎｅｔｗｏｒｋ）２００に接続されており、端末３００および他の機器４００等と通信を行うことができる。端末３００は、例えばＬＡＮ２００に接続することができるスマートフォンまたはＰＣ等である。ユーザは、端末３００を利用して、空気調和機１００とデータの送受信を行うことができる。
【００１４】
例えば、ユーザは、端末３００を利用して、空気調和機１００の遠隔操作および空気調和機１００の消費電力の管理等を行うことができる。ＬＡＮ２００は、例えばＷｉ−Ｆｉ等の無線ＬＡＮであるが、有線ＬＡＮ、または無線ＬＡＮと有線ＬＡＮとを含むものであってもよい。また、通信機器１は、ＬＡＮ２００を介さずに、端末３００と直接的にデータの送受信を行うことができる機能を有するものであってもよい。
【００１５】
図１に示すように、空気調和機１００は、例えば室内の壁などに取り付けられ、被空調空間の空調を行うものである。空気調和機１００は、上側に吸込口１０２を有し、下部正面側に吹出口１０４を有する。空気調和機１００の内部には、図示を省略してある送風機および熱交換器等が設置されている。吸込口１０２から取り込まれた室内空気は、熱交換器（図示を省略）と熱交換が行われて、吹出口１０４から空調空気として吹き出される。
【００１６】
空気調和機１００の正面には、室内の状態を検出する検出部１０６が設置されている。検出部１０６は、室内の温度等を検出する赤外線センサおよび室内における人の所在等を検出する人感センサ等を含んで構成されている。また、空気調和機１００の側面（図示の右側側面）には、通信機器１が設置されている。
【００１７】
通信機器１は、空気調和機１００の側面の背面側で、表示灯１２を側方に向けて、空気調和機１００に着脱自在に設置されている。なお、通信機器１は、空気調和機１００に固定設置されていてもよく、または、空気調和機１００の筐体内に配置されていてもよい。表示灯１２は、通信機器１の通信状態等を表示するものである。通信機器１は、例えば、通信機器１または空気調和機１００の一方に形成された爪部（図示を省略）と、他方に形成された係合部（図示を省略）とを組み合わせて、空気調和機１００に取り付けられる。通信機器１は、面ファスナーまたは結束バンドなどを利用して、空気調和機１００に取り付けられてもよい。
【００１８】
なお、通信機器１は、吸込口１０２、吹出口１０４および検出部１０６等の空気調和機１００が備える構成の機能を阻害しない位置で、空気調和機１００に取り付けられ、または、空気調和機１００の近傍の壁に取り付けられてもよい。
【００１９】
また、通信機器１は、表示灯１２が空気調和機１００の吹出口１０４から吹き出される空調空気の向きとは異なる方向に向くように、設置されればよい。空気調和機１００の吹出口１０４から吹き出される空調空気とは異なる向きに、表示灯１２を向けておくことによって、表示灯１２が発した光がユーザの目に直接的に入ることが抑制される。その結果、表示灯１２の表示が目障りになることを緩和することができる。
【００２０】
また、通信機器１は、その下部から延びる接続ケーブル４１を有し、接続ケーブル４１が空気調和機１００の制御部（図示を省略）に接続されることで、通信機器１と空気調和機１００とが通信可能となる。
【００２１】
図３は、図１に記載の通信機器の正面図であり、図４は、図３に記載の通信機器の斜視図であり、図５は、図４に記載の通信機器の分解斜視図であり、図６は、図４のＡ−Ａ断面図である。通信機器１は、図３に示すように、ケース８、操作部１１および表示灯１２を有する。操作部１１は、例えば複数の押しボタンスイッチで構成されており、ユーザは操作部１１を操作して、例えば、通信機器１のリセットを行い、または通信機器１の暗号化設定を行うことができる。
【００２２】
この実施の形態に係る表示灯１２は、表示灯１２Ａ〜表示灯１２Ｃを含んでいる。表示灯１２Ａは、例えば通信機器１のエラー状態を表示するものであり、表示灯１２Ｂは、例えば通信機器１と空気調和機１００との通信状態を表示するものであり、表示灯１２Ｃは、例えば通信機器１と無線ＬＡＮとの通信状態を表示するものである。なお、表示灯１２は、２つの表示灯を含んで構成されるものであってもよく、または４つ以上の表示灯を含んで構成されるものであってもよい。
【００２３】
図４に示すように、ケース８は、下ケース２と上ケース７とで構成されている。上ケース７には、開口部７１が形成されており、表示灯１２Ａ〜表示灯１２Ｃは、開口部７１に対応する位置で、ケース８の内側に収容されている。図５および図６に示すように、ケース８の内部には、複数の導光部３と、電子回路基板４と、内ケース５と、表示灯カバー６とが収容されている。
【００２４】
下ケース２は、例えば、ポリカーボネート（ＰＣ）またはポリフェニレンサルファイド（ＰＰＳ）等の樹脂材料で形成されており、基板収容部２１および複数の連通部２２を有する。基板収容部２１は、電子回路基板４が収容される収容部であり、内壁２１ａに囲まれている。基板収容部２１には、電子回路基板４を載置する複数の載置部２１ｂ（図５では１箇所のみを表示）と、載置部２１ｂに載置された電子回路基板４の抜けを防止する突起２１ｃとが形成されている。複数の連通部２２のそれぞれは、基板収容部２１と開口部７１とが連通するように形成されている。複数の連通部２２のそれぞれには、導光部３Ａ〜導光部３Ｃのそれぞれが設置される。
【００２５】
図６に示すように、導光部３Ａは、発光部４２Ａが出射した光を開口部７１側に導くものである。導光部３Ａは、入射部３１Ａと点灯部３２Ａとを含む断面概略Ｌ字形状を有し、例えば、アクリル（ＰＭＭＡ）またはポリカーボネート（ＰＣ）等の透光性を有する材質で形成されている。入射部３１Ａは、基板収容部２１の内部で、発光部４２Ａと離間して且つ発光部４２Ａと対向して位置している。点灯部３２Ａは、基板収容部２１の外部に位置しており、開口部７１においてケース８から露出している。発光部４２Ａが出射した光は、入射部３１Ａに入射され点灯部３２Ａから放射される。なお、導光部３Ｂおよび導光部３Ｃは、導光部３Ａと同じ構成であるため、この実施の形態の理解を容易にするために、導光部３Ｂおよび導光部３Ｃの説明については省略する。
【００２６】
図５に示すように、電子回路基板４は、通信機器１の全体の制御を行うものであり、抵抗、コンデンサおよびＩＣ等の電子部品が搭載されている。また、電子回路基板４には、接続ケーブル４１および発光部４２Ａ（図６を参照）が設置されている。接続ケーブル４１は、ケース８の下側から取り出され、空気調和機１００に接続されるものである。
【００２７】
発光部４２Ａは、例えばＬＥＤ等の発光素子で構成されており、通信機器１の通信状態などに基づいて、光を発するものである。発光部４２Ａは、導光部３Ａとの間に間隙を設けて配置されており、導光部３Ａに向けて光を出射する。発光部４２Ａが出射した光は、導光部３Ａを通って、開口部７１側に導かれる。なお、図６では、発光部４２Ａのみが図示されているが、実際には、複数の発光部を含んでおり、この実施の形態では、図示を省略してある発光部４２Ｂおよび発光部４２Ｃが、電子回路基板４に搭載されている。
【００２８】
図６に示すように、この実施の形態に係る表示灯１２Ａは、導光部３Ａおよび発光部４２Ａを含んで構成されている。基板収容部２１に設置された発光部４２Ａは、開口部７１とは異なる方向に向けて光を出射し、発光部４２Ａが出射した光は、導光部３Ａの入射部３１Ａに入射される。導光部３Ａに入射された光は、開口部７１側に導かれて、点灯部３２Ａから放射される。なお、表示灯１２Ｂは導光部３Ｂと発光部４２Ｂ（図示を省略）とを含んで構成され、表示灯１２Ｃは導光部３Ｃと発光部４２Ｃ（図示を省略）とを含んで構成されるものであり、表示灯１２Ａの構成と同じである。したがって、この実施の形態の理解を容易にするため、表示灯１２Ｂおよび表示灯１２Ｃの構成については説明を省略する。
【００２９】
内ケース５は、弾性を有する樹脂材料で形成されており、フランジ部５１を有する。内ケース５は、フランジ部５１を下ケース２の内壁２１ａの外側に嵌めるようにして、下ケース２に取り付けられ、基板収容部２１の開口を覆うものである。フランジ部５１は、押圧部５２を有し、内ケース５が下ケース２に取り付けられると、押圧部５２が導光部３を押圧するようになっている。導光部３は、押圧部５２に押圧されて、ガタつかないようになっている。電子回路基板４は、下ケース２と内ケース５と導光部３とで形成された空間に収容されており、電子回路基板４が収容された空間には、埃等が入り込まないようになっている。
【００３０】
図７は、図５に記載の表示灯カバーを拡大した拡大斜視図である。表示灯カバー６は、遮光性を有する樹脂材料で概略Ｕ字形状に形成されており、遮蔽部６１と切り欠き部６２と突起部６３と支持部６４とを有する。表示灯カバー６は、開口部７１の開度を調整することで、表示灯１２Ａ〜表示灯１２Ｃの表示または非表示を切り替えるものである。表示灯カバー６は、ケース８の内側で、複数の表示灯１２Ａ〜表示灯１２Ｃが並ぶ方向に沿って、スライド自在に設置されている。
【００３１】
遮蔽部６１は、全ての表示灯１２Ａ〜表示灯１２Ｃを覆うことができるように形成されており、遮蔽部６１に覆われた表示灯１２Ａ〜表示灯１２Ｃの少なくとも１つは、非表示状態となる。切り欠き部６２は、遮蔽部６１と支持部６４との間に形成されている。
【００３２】
切り欠き部６２は、全ての表示灯１２Ａ〜表示灯１２Ｃを露出させることができるように形成されており、切り欠き部６２から露出した表示灯１２Ａ〜表示灯１２Ｃの少なくとも１つは、表示状態となる。この実施の形態の切り欠き部６２は、二方向（図示の上側および右側）から表示灯１２Ａ〜表示灯１２Ｃを露出させるように形成されている。このときに、表示灯１２Ａ〜表示灯１２Ｃを露出させない側（図示の左側）では表示灯１２Ａ〜表示灯１２Ｃが表示灯カバー６で覆われているため、表示灯１２Ａ〜表示灯１２Ｃを露出させない側から光が回り込まないようになっている。このため、この実施の形態では、表示灯１２Ａ〜表示灯１２Ｃのそれぞれが、確実な表示を行うことができる。
【００３３】
突起部６３は、開口部７１からケース８の外側に突出するように、遮蔽部６１と切り欠き部６２との間に形成されている。ユーザは、突起部６３を利用して、表示灯カバー６をスライドさせ、開口部７１の開度を調整することができる。
【００３４】
図８は、下ケースに導光部および電子回路基板を設置した状態を示す斜視図であり、図９は、図８に記載の導光部および電子回路基板が設置された下ケースに表示灯カバーを設置した状態を示す斜視図であり、図１０は、図９の表示灯カバーをスライドさせた状態を示す斜視図である。導光部３Ａ〜導光部３Ｃ、電子回路基板４および表示灯カバー６の下ケース２への設置は、まず下ケース２に導光部３Ａ〜導光部３Ｃを設置し、その後に電子回路基板４を設置する。下ケース２および導光部３Ａ〜導光部３Ｃには、表示灯カバー６をスライド自在にガイドするガイド部２３が形成されている。表示灯カバー６は、ガイド部２３に載置され、全ての表示灯１２Ａ〜表示灯１２Ｃを露出させる全開状態（図９）と、全ての表示灯１２Ａ〜表示灯１２Ｃを遮蔽する全閉状態（図１０）との間で、移動自在となる。なお、表示灯カバー６を全開状態にしたときには、遮蔽部６１は遮蔽部収容部２４に収容され、表示灯カバー６を全閉状態にしたときには、支持部６４は支持部収容部２５に収容されるようになっている。
【００３５】
図１１は、図３の状態から、表示灯カバーをスライドさせて、開口部を部分的に遮蔽した状態を示す斜視図であり、図１２は、図１１の状態から、表示灯カバーをスライドさせて、開口部の全てを遮蔽した状態を示す斜視図であり、図１３は、図１２のＡ１−Ａ１断面図である。表示灯カバー６は、複数の表示灯１２が並ぶ方向に、スライド自在となっている。この実施の形態では、複数の表示灯１２Ａ〜表示灯１２Ｃが直線状に一列に配置されているが、複数の表示灯１２は、二列以上に配置されていてもよく、または、曲線状に配置されていてもよい。ユーザは、表示灯カバー６をスライドさせ、開口部７１の開度を調整することで、表示灯１２Ａ〜表示灯１２Ｃの表示状態と非表示状態とを切り替えることができる。例えば、図１１に示すように、表示灯１２Ａのみを露出させ、表示灯１２Ｂおよび表示灯１２Ｃを遮蔽する。また、図１２に示すように、表示灯カバー６を全閉状態までスライドさせて、全ての表示灯１２Ａ〜表示灯１２Ｃを遮蔽させることができる。図１３に示すように、表示灯カバー６に覆われた表示灯１２Ａ（１２）は、開口部７１から露出しないため、非表示状態となる。なお、表示灯カバー６を調整して、表示灯１２Ａおよび表示灯１２Ｂを露出させ且つ表示灯１２Ｃを遮蔽させてもよい。
【００３６】
複数の表示灯１２は、表示の頻度が低いものが優先的に露出され、表示の頻度が高いものが優先的に遮蔽されるように配置されている。例えば、複数の表示灯１２は、表示灯カバー６が開く向きに、表示の頻度が低い順に配置されるとよい。この実施の形態の例では、表示灯１２Ａ〜表示灯１２Ｃは、表示灯カバー６が開く向きに、表示灯１２Ａ、表示灯１２Ｂ、表示灯１２Ｃの順に配置されている。なぜなら、表示灯１２Ａは、通信機器１のエラー状態を表示するものであり、表示の頻度が低く且つ表示の必要性が高い。表示灯１２Ｂは、通信機器１と空気調和機１００との通信状態を表示するものであり、表示の頻度が表示灯１２Ａよりも高い。表示灯１２Ｃは、通信機器１と無線ＬＡＮとの通信状態を表示するものであり、表示の頻度が表示灯１２Ａおよび表示灯１２Ｂよりも高い。
【００３７】
そこで、この実施の形態に係る例では、図１１に示すように、表示灯１２Ａを露出させ、表示灯１２Ｂおよび表示灯１２Ｃを遮蔽するように、表示灯カバー６を移動させて開口部７１の開度を調整する。その結果、この実施の形態では、表示の頻度が高い表示灯１２Ｂおよび表示灯１２Ｃが遮蔽されているため、ユーザの不快感が緩和されている。さらに、表示の頻度が低く且つ表示の必要性が高い表示灯１２Ａが露出されているため、ユーザは必要とする情報を確認することができる。
【００３８】
上記のように、この実施の形態に係る通信機器１は、例えば空気調和機１００等の機器に搭載されるものであり、機器の種類および設置場所ならびに通信機器の設置位置等に応じて、必要とされる表示が異なる。そこで、この実施の形態では、複数の表示灯１２が、表示灯カバー６がスライドする方向に沿って配置されている。その結果、この実施の形態では、表示灯カバー６の開度を調整するのみで、複数の表示灯のうちの一部を遮蔽でき、遮蔽された以外の表示灯を表示することができる。そのため、この実施の形態に係る通信機器１によれば、ユーザの不快感を緩和することができ、且つユーザは必要とする情報を確認することができる。
【００３９】
さらに、この実施の形態では、複数の表示灯１２は、表示の頻度が低いものが優先的に露出され、表示の頻度が高いものが優先的に遮蔽されるように配置されている。このため、この実施の形態では、複数の表示灯１２のうちの表示の頻度が高いものを遮蔽することによって、ユーザが感じる目障りさを軽減することができる。
【００４０】
また、この実施の形態では、突起部６３がケース８の外側に突出しているため、ユーザは突起部６３を利用して、開口部７１の開度の調整を容易に行うことができる。この実施の形態に係る通信機器１は、例えば空気調和機１００等の機器に搭載されるものであり、表示灯１２を目立たない方向に向けて配置されることがある。このようなときに、表示灯カバー６をスライドさせることが困難となる場合があるが、この実施の形態では、ケース８の外側に突出した突起部６３を利用して、表示灯カバー６をスライドさせることができるため、開口部７１の開度の調整が容易になっている。さらに、この実施の形態では、表示灯カバー６の突起部６３が、遮蔽部６１と切り欠き部６２との間に形成されているため、開口部７１が全開状態または全閉状態となったときに、突起部６３が開口部７１の端部と当接し、表示灯カバー６の移動範囲を規制するようになっている。
【００４１】
また、この実施の形態では、表示灯１２は、導光部３と発光部４２とを含んで構成されており、且つ導光部３と発光部４２とは距離を隔てて配置されている。表示灯１２は、開口部７１から露出しているため、表示灯カバー６をスライドさせるときに、表示灯１２がユーザの指等と接触することがある。このような場合であっても、この実施の形態では、発光部４２と導光部３とが離間して配置されているため、発光部４２および発光部４２が設置された電子回路基板４に応力が掛かり、これらが損傷するおそれ等が抑制されている。さらに、この実施の形態では、発光部４２と導光部３とが離間しているため、発光部４２からの熱が導光部３およびケース８に直接的に伝導しないようになっている。
【００４２】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【００４３】
例えば、複数の表示灯１２の表示または非表示を段階的に切り替えるための段階切替機構（図示を省略）を備える構成であってもよい。段階切替機構は、例えば、移動側の表示灯カバー６および固定側の下ケース２等の一方に形成された突起と、他方に形成された溝とで構成され、開口部７１の開度を段階的に調整するものである。段階切替機構を設けることによって、開口部７１の開度を適切に調整して、複数の表示灯１２のそれぞれを適切に表示させることができる。
【００４４】
また例えば、上記では、重力に逆らう方向に向けて、表示灯カバー６を閉じる構成についての説明を行ったが、重力が作用する方向に向けて、表示灯カバー６を閉じるように構成してあってもよい。このように構成することによって、表示灯カバー６に重力が作用して、表示灯カバー６が閉じられたときに、表示灯１２が目障りにならない。
【符号の説明】
【００４５】
１  通信機器、２  下ケース、３  導光部、３Ａ  導光部、３Ｂ  導光部、３Ｃ  導光部、４  電子回路基板、５  内ケース、６  表示灯カバー、７  上ケース、８  ケース、１１  操作部、１２  表示灯、１２Ａ  表示灯、１２Ｂ  表示灯、１２Ｃ  表示灯、２１  基板収容部、２１ａ  内壁、２１ｂ  載置部、２１ｃ  突起、２２  連通部、２３  ガイド部、２４  遮蔽部収容部、２５  支持部収容部、３１Ａ  入射部、３２Ａ  点灯部、４１  接続ケーブル、４２  発光部、４２Ａ  発光部、４２Ｂ  発光部、４２Ｃ  発光部、５１  フランジ部、５２  押圧部、６１  遮蔽部、６２  切り欠き部、６３  突起部、６４  支持部、７１  開口部、１００  空気調和機、１０２  吸込口、１０４  吹出口、１０６  検出部、２００  ＬＡＮ、３００  端末、４００  他の機器。
【図１】
2016032118.tif 000003
【図２】
2016032118.tif 000004
【図３】
2016032118.tif 000005
【図４】
2016032118.tif 000006
【図５】
2016032118.tif 000007
【図６】
2016032118.tif 000008
【図７】
2016032118.tif 000009
【図８】
2016032118.tif 000010
【図９】
2016032118.tif 000011
【図１０】
2016032118.tif 000012
【図１１】
2016032118.tif 000013
【図１２】
2016032118.tif 000014
【図１３】
2016032118.tif 000015